(57)【要約】【課題】発熱した熱を効率よく放熱させることができ、かつ小型化を図ることができ、さらに、製造コストも抑えることができたプロジェクタ。【解決手段】  外装筐体の内部に配される各種の装置に電力を供給する電源装置と、光源装置を駆動させるランプ駆動装置とを備え、電源装置およびランプ駆動装置は、光源装置を挟み込むように外装筐体に配設され、電源装置およびランプ駆動装置のそれぞれは、個々の電磁遮蔽用筐体７１，８１内に配され、電源装置およびランプ駆動装置のそれぞれの周囲に配された電磁遮蔽用筐体７１，８１の下面部７２，８２は、光源装置と対向する外装筐体の一側内面を覆うように、外装筐体への光源装置からの照射を遮る遮光部９２を備えた一部材で構成されている下面部材９１となっている。【選択図】図６
2009015215.tif 000002
【特許請求の範囲】
【請求項１】
光源装置と、前記光源装置から射出された光束を画像情報に応じて変調して光学像を形成する光変調装置と、前記光変調装置にて形成された光学像を拡大投射する投射光学装置と、これら前記光源装置、前記光変調装置、および前記投射光学装置を収納する外装筐体とを備えたプロジェクタであって、
前記外装筐体の内部に配される各種の装置に電力を供給する電源装置と、前記光源装置を駆動させるランプ駆動装置とを備え、
前記電源装置および前記ランプ駆動装置は、前記光源装置を挟み込むように外装筐体に配設され、
前記電源装置および前記ランプ駆動装置のそれぞれは、個々の電磁遮蔽用筐体内に配され、
前記電源装置および前記ランプ駆動装置のそれぞれの周囲に配された前記電磁遮蔽用筐体の一側面は、前記光源装置と対向する前記外装筐体の一側内面を覆うように一部材で構成されていることを特徴とするプロジェクタ。
【請求項２】
請求項１に記載のプロジェクタにおいて、
一部材で構成された、前記電磁遮蔽用筐体の一側面は、接地されていることを特徴とするプロジェクタ。
【請求項３】
請求項１または請求項２に記載のプロジェクタにおいて、
前記電源装置および前記ランプ駆動装置のそれぞれの周囲に配された個々の前記電磁遮蔽用筐体には、前記外装筐体の前記一側内面とは反対側の他側内面と対向する側において、互いを電気的に接続した状態で連結する連結部材が設けられていることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して光学像を形成する光変調装置と、光変調装置にて形成された光学像を拡大投射する投射光学装置とを備えたプロジェクタが知られている。
この種のプロジェクタは、光変調装置、冷却ファン、光源装置等に電力を供給するための電源装置を備えて構成される。また、この種のプロジェクタは、光源装置を駆動させるためのランプ駆動装置を備えて構成される。このランプ駆動装置は、電源装置と隣接して一体化するように配設され、プロジェクタに内蔵されている（例えば、特許文献１参照）。
【０００３】
一方、これら電源装置およびランプ駆動装置は、プロジェクタを使用することにより発熱する。そこで、この種のプロジェクタでは、これら電源装置およびランプ駆動装置に冷却風を送ることによって冷却することを必要としていた。
また、電源装置およびランプ駆動装置のそれぞれには、ＥＭＩ（Electromagnetic Interference、電磁干渉）対策を目的として、周囲を囲う電磁シールド板を備える。
また、外装筐体の内部下側には、光源装置から射出される光束を遮光するための遮光板を設けることを必要とする。光源装置から射出される光束によって、外装筐体が劣化してしまうことを防止するためである。
【０００４】
【特許文献１】特開２００６−３４３５６５号公報
【発明の開示】
【発明が解決しようとする課題】
【０００５】
ところが、特許文献１に記載のプロジェクタでは、電源装置とランプ駆動装置とが、隣接して一体化して配設され、かつ排気口が光源装置側に配置されているので、発熱した熱が滞留し易いものになってしまっていた。
また、電源装置およびランプ駆動装置の共用の冷却ファンは、双方を冷却させるために大型化させる必要があり、プロジェクタ全体のサイズも大きくなってしまっていた。
また、特許文献１に記載のプロジェクタでは、電磁シールド板と遮光板とを並存させるので、装置全体として嵩張ってしまうことが指摘されていた。
【０００６】
本発明は、このような事情に鑑みなされたものであって、その目的は、発熱した熱を効率よく放熱させることができ、かつ小型化を図ることができ、さらに、製造コストも抑えることができたプロジェクタを提供することにある。
【課題を解決するための手段】
【０００７】
上述した課題を解決するための手段として、本発明に係るプロジェクタは、光源装置と、前記光源装置から射出された光束を画像情報に応じて変調して光学像を形成する光変調装置と、前記光変調装置にて形成された光学像を拡大投射する投射光学装置と、これら前記光源装置、前記光変調装置、および前記投射光学装置を収納する外装筐体とを備えたプロジェクタであって、前記外装筐体の内部に配される各種の装置に電力を供給する電源装置と、前記光源装置を駆動させるランプ駆動装置とを備え、前記電源装置および前記ランプ駆動装置は、前記光源装置を挟み込むように外装筐体に配設され、前記電源装置および前記ランプ駆動装置のそれぞれは、個々の電磁遮蔽用筐体内に配され、前記電源装置および前記ランプ駆動装置のそれぞれの周囲に配された前記電磁遮蔽用筐体の一側面は、前記光源装置と対向する前記外装筐体の一側内面を覆うように一部材で構成されていることを特徴とする。
【０００８】
このプロジェクタによれば、電源装置およびランプ駆動装置は、光源装置を挟み込むように配設されているので、電源装置およびランプ駆動装置によって発熱した熱は、互いに熱干渉することなく、放熱され易いものにすることができる。したがって、発熱した熱を、滞留することなく、効率よく放熱させることができる。
また、このプロジェクタによれば、電源装置およびランプ駆動装置は、光源装置を挟み込むように配設されているので、内部のスペースを有効活用することができ、プロジェクタ全体としての小型化を図ることができる。
【０００９】
さらに、このプロジェクタによれば、電源装置およびランプ駆動装置のそれぞれは、個々の電磁遮蔽用筐体内に配され、これらの周囲に配された個々の電磁遮蔽用筐体の一側面が、光源装置と対向する外装筐体の一側内面を覆うように、一部材で構成されているので、これまで電磁遮蔽用筐体とは別個で並存させていた遮光板を、省略することができる。
【００１０】
これによって、たとえば、外装筐体への光源装置からの照射を遮ることができるので、射出される光によって外装筐体が劣化してしまうことを好適に防止することができ、かつ、電源装置およびランプ駆動装置から発生する電磁波を好適に遮蔽することができ、さらに部材点数を減らして装置全体として小型化を図ることができ、製造コストも抑えることができる。
【００１１】
また、本発明に係るプロジェクタは、一部材で構成された、前記電磁遮蔽用筐体の一側面が、接地されていることが好ましい。
このプロジェクタによれば、一部材で構成された、電磁遮蔽用筐体の一側面が接地されているので、この部材に溜まった電荷や磁気を放出することができる。これによって、電荷や磁気によるノイズを発生し難いものとして、内蔵電子部品に対して安全となる。
【００１２】
また、本発明に係るプロジェクタは、前記電源装置および前記ランプ駆動装置のそれぞれの周囲に配された個々の前記電磁遮蔽用筐体には、前記外装筐体の前記一側内面とは反対側の他側内面と対向する側において、互いを電気的に接続した状態で連結する連結部材が設けられていることが好ましい。
このプロジェクタによれば、電源装置およびランプ駆動装置のそれぞれの周囲に配された個々の電磁遮蔽用筐体には、外装筐体の一側内面とは反対側の他側内面と対向する側において、互いを電気的に接続した状態で連結する連結部材が設けられているので、電磁遮蔽用筐体同士を電気的にループさせる構造とすることができ、個々の電磁遮蔽効果を向上させ、電磁干渉を好ましく防止することができる。
【発明を実施するための最良の形態】
【００１３】
以下、本発明に係るプロジェクタの実施の形態について、図面を参照しながら説明する。図１は、プロジェクタ１の外観を模式的に示す外観模式図である。図２は、プロジェクタ１の内部を示す内部斜視図である。図３は、光源装置４１の射出方向基端側から視たプロジェクタ１の内部斜視図であり、排気ファンユニット５、冷却装置６、制御基板Ｈが取り外されて内部を示している。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００１４】
プロジェクタ１は、光源装置から射出された光束を、画像情報に応じて光変調装置にて変調して光学像（画像光）を形成し、形成された光学像を投射光学装置にてスクリーンに拡大投射するものである。
プロジェクタ１は、図１〜図３に示すように、外装筐体２、画像投射装置Ｇ、排気ファンユニット５、冷却装置６、電源装置７、ランプ駆動装置（バラスト）７、および制御基板Ｈを備えて大略構成される。また、画像投射装置Ｇは、投射光学装置３、光学ユニット４を備えて構成される。なお、制御基板Ｈは、光学ユニット４、排気ファンユニット５、冷却装置６、電源装置７、ランプ駆動装置（バラスト）８と電気的に接続され、これらを制御する。
【００１５】
外装筐体２は、図１に示すように、略直方体形状の筐体で構成される。外装筐体２は、プロジェクタ１における天面（＋Ｙ軸方向側の面）部分、前面（＋Ｚ軸方向側の面）部分、側面（Ｘ軸方向に交差する各面）部分、および背面（−Ｚ軸方向側の面）部分を形成するアッパーケース２１と、プロジェクタ１における底面（−Ｙ軸方向側の面）部分を形成するロアーケース２２とを備える。
【００１６】
外装筐体２の前面部分には、投射光学装置３からスクリーンに画像光を投射可能にした前面開口部２１１が設けられている。また、外装筐体２の天面部分には、投射位置調整装置３１の操作ダイアル３２を露出する第１操作用開口部２１２Ａが設けられているとともに、画像調整部３３を露出する第２操作用開口部２１２Ｂが設けられている。さらに、外装筐体２の−Ｚ軸方向側の側面部分には、プロジェクタ１内部に外気を吸入するために開口した吸気口２１３が設けられている。
【００１７】
投射光学装置３は、具体的な図示を省略するが、複数のレンズと、この複数のレンズを収納する筒状の鏡筒とで構成され、光学ユニット４により形成されたカラー画像を拡大投射する。投射光学装置３は、前記複数のレンズを投射方向（＋Ｚ軸方向）と直交する平面内で移動させて投射される光学像の位置を調整する投射位置調整装置３１を備える。また、鏡筒は、筒状軸を中心として回転することで前記複数のレンズの相対位置を変更可能に構成され、筒状軸を中心として回転させスクリーン上に拡大投射される画像を調整する画像調整部３３を備える。
【００１８】
図４は、画像投射装置Ｇを模式的に示す模式図であり、特に光学ユニット４の光学系について詳細に示している。
光学ユニット４は、図４に示すように、平面視略Ｌ字形状を有し、制御基板Ｈによる制御の下、光源装置から射出された光束を光学的に処理して画像情報に対応したカラー画像を形成するユニットであり、光源装置４１と、均一照明光学装置４２と、色分離光学装置４３と、リレー光学装置４４と、光学装置４５と、光学部品用筐体４６とを備える。
【００１９】
光源装置４１は、制御基板Ｈによる制御の下、均一照明光学装置４２に向けて光束を射出する。この光源装置４１は、光源としての光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。この光源ランプ４１１は、＋Ｘ軸方向に沿う方向に、光束を射出する。
【００２０】
均一照明光学装置４２は、光源装置４１から射出された光束を、光学装置４５を構成する光変調装置としての液晶パネル４５１の画像形成領域に略均一に照明するための光学系である。この均一照明光学装置４２は、第１レンズアレイ４２１と、第２レンズアレイ４２２と、偏光変換素子４２３と、重畳レンズ４２４とを備える。また、フィールドレンズ４２５は、第２レンズアレイ４２２から射出された各部分光束をその中心軸（主光線）に対して平行な光束に変換する。
【００２１】
色分離光学装置４３は、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。ダイクロイックミラー４３１では、赤色光が分離され、赤色光は反射ミラー４３３で反射されて液晶パネル４５１Ｒへ導かれる。ダイクロイックミラー４３２では緑色光と青色光が分離され、緑色光は液晶パネル４５１Ｇへ導かれる。
【００２２】
リレー光学装置４４は、入射側レンズ４４１、リレーレンズ４４３、および反射ミラー４４２，４４４を備え、色分離光学装置４３で分離された青色光を光学装置４５の液晶パネル４５１Ｂまで導く機能を有している。
光学装置４５は、光源装置４１から射出され入射する光束を画像情報に応じて変調して画像光（カラー画像）を形成するものである。この光学装置４５は、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２３】
排気ファンユニット５は、外装筐体２（プロジェクタ１）内部に滞留する温められた空気を吸気し、外装筐体２の側面（−Ｘ軸方向側の側面）に設けられた排気口（不図示）を介して外装筐体２（プロジェクタ１）外部に排気するものである。
排気ファンユニット５は、＋Ｘ軸方向に回転軸を有する軸流ファン５１と、該軸流ファンに導く排気ダクト５２とを備える。排気ファンユニット５は、光源装置４１に対して、光源装置４１の光源ランプ４１１から射出される光束の射出方向（＋Ｘ軸方向）とは、逆方向（−Ｘ軸方向）側に配設され、軸流ファン５１は、＋Ｘ軸に略直交するＹＺ平面で回転する。
排気ダクト５２は、光源ランプ４１１に対して、光束の射出方向（＋Ｘ軸方向）とは逆方向（−Ｘ軸方向）側に、光源装置４１の光が外部に漏れてしまわないように、光源ランプ４１１を囲うような壁状で構成され設置されている。
【００２４】
冷却装置６は、外気を、吸気口２１３を介して外装筐体２（プロジェクタ１）内部に冷却風として導入し、冷却風としての外気をプロジェクタ１内部の冷却対象に吹き当てて冷却するものである。冷却装置６は、光変調装置としての液晶パネル４５１を含む画像投射装置Ｇに対して、つまり投射光学装置３に対して投射光学装置３の投射方向（＋Ｚ軸方向）とは反対側の位置であって、ランプ駆動装置８の長手方向の延長上に存するように配設されている。
【００２５】
電源装置７およびランプ駆動装置８は、上述した光源装置４１を挟み込むように外装筐体２の内部に設置されている。
図５は、電源装置７およびランプ駆動装置８のみが配された外装筐体２を示す斜視図である。
【００２６】
電源装置７は、プロジェクタ１を構成する各構成部材（例えば、ランプ駆動装置８、制御基板Ｈ等）に電力を供給するものであって、回路基板（不図示）と、この回路基板を支持する支持筐体７０とを備える。
電源装置７は、図２、図３、および図５に示すように、回路基板を支持する支持筐体７０を囲うように、その周囲には、略直方体形状の第１電磁遮蔽用筐体７１が配されている。この電源装置７は、光学ユニット４のＬ字の内側部分に長手方向が＋Ｘ軸方向に沿うように、ロアーケース２２に設置されている。第１電磁遮蔽用筐体７１は、ＥＭＩ対策のために設けられるものであって、回路基板を支持する支持筐体７０との間には絶縁板（不図示）が介装されている。
【００２７】
ランプ駆動装置（バラスト）８は、光源ランプ４１１を駆動させる回路であって、回路基板（不図示）と、この回路基板を支持する支持筐体８０とを備える。
ランプ駆動装置８は、図２、図３、および図５に示すように、回路基板を支持する支持筐体８０を囲うように、その周囲には、略直方体形状の第２電磁遮蔽用筐体８１が配されている。このランプ駆動装置８は、光学ユニット４のＬ字の外側部分に長手方向が＋Ｘ軸方向に沿うように、ロアーケース２２に設置されている。第２電磁遮蔽用筐体８１は、ＥＭＩ対策のために設けられるものであって、回路基板を支持する支持筐体８０との間には絶縁板（不図示）が介装されている。
【００２８】
図５に示すように、電源装置７の周囲に配された第１電磁遮蔽用筐体７１と、ランプ駆動装置８の周囲に配された第２電磁遮蔽用筐体８１とは、それぞれの一側面同士が、光源装置４１と対向する外装筐体２（ロアーケース２２）の少なくとも一側内面２Ａを覆うように連なった一部材（下面部材９１）で構成されている。
この第１電磁遮蔽用筐体７１および第２電磁遮蔽用筐体８１は、電磁遮蔽機構９０の一部を構成するものであって、電磁遮蔽機構９０については以下の通りである。
【００２９】
図６は、電磁遮蔽機構９０を構成する電磁遮蔽用筐体７１，８１を示す分解斜視図である。図７は、電磁遮蔽機構９０を構成する電磁遮蔽用筐体７１，８１の一部が配された外装筐体２を示す斜視図である。なお、後に詳述するが、図６および図７においては、内部形状を見易くするために電磁遮蔽機構９０の一部を構成する上側接続板９５（図２参照）が省略されて示されている。
【００３０】
電磁遮蔽機構９０は、図６に示すように、下面部材９１と、この下面部材９１に取り付けられて第１電磁遮蔽用筐体７１および第２電磁遮蔽用筐体８１をなす、第１筐体部７５とおよび第２筐体部８５と、この第１筐体部７５とおよび第２筐体部８５の上側（＋Ｙ軸方向側）を電気的に接続する連結部材としての上側接続板９５（図２参照、図６および図７においては不図示）とを備えて構成される。
なお、これらの下面部材９１、第１筐体部７５、第２筐体部８５、および上側接続板９５は、互いに通電可能な金属で構成されている。
【００３１】
具体的には、下面部材９１は、図６および図７に示すように、第１電磁遮蔽用筐体７１の一側面としての第１下面部７２と、第２電磁遮蔽用筐体８１の一側面としての第２下面部８２と、遮光板として機能する遮光部９２とを備え、これらが一体化されて構成される。また、これら第１下面部７２、第２下面部８２、遮光部９２は、外装筐体２の一側内面２Ａの凹凸形状に合わせた形状で形成され一側内面２Ａを覆うように、ロアーケース２２に好適に設置されている。なお、この下面部材９１には、第１筐体部７５および第２筐体部８５を連結させる連結部７３，８３が設けられている。また、下面部材９１は、連結部７３，８３および固定部９３を、図示しない適宜のねじ部材を介してロアーケース２２に固定させることにより設置され、この適宜のねじ部材を介して、電気的にも外部に接地された状態となっている。
【００３２】
第１下面部７２は、第１電磁遮蔽用筐体７１の下側を構成する。第２下面部８２は、第２電磁遮蔽用筐体８１の下側を構成する。遮光部９２は、光源装置４１から射出される光が、光源装置４１と対向する一側内面としてのロアーケース２２の内面に沿って設けられるものであって、光源装置４１から射出される光が、そのロアーケース２２の内面に当たってしまうことを好適に遮っている。
【００３３】
第１筐体部７５は、電源装置７を内部に収納するように空間が設けられて構成されており、下側（−Ｙ軸方向側）が開口された形状を有する。この第１筐体部７５の下側は、第１下面部７２と連結して、電源装置７を収納する筐体構造をなす。
第２筐体部８５も、ランプ駆動装置８を内部に収納するように空間が設けられて構成されており、下側（−Ｙ軸方向側）が開口された形状を有する。この第２筐体部８５の下側は、第２下面部８２と連結して、ランプ駆動装置８を収納する筐体構造をなす。
【００３４】
また、この第１筐体部７５および第２筐体部８５には、上述した下面部材９１を連結させる下側連結部７６，８６が設けられている、この下側連結部７６，８６と、下面部材９１の連結部７３，８３が適宜のねじ部材によって連結されて、ロアーケース２２に固定されることによりこの第１筐体部７５および第２筐体部８５を一体化している。
【００３５】
また、この第１筐体部７５および第２筐体部８５には、第１筐体部７５および第２筐体部８５を上側接続板９５に連結させる上側連結部７７，８７が設けられている。上側接続板９５は、金属製の板状部材で構成されており、上側連結部７７と８７が電気的に接続できるようにねじ部材を介して連結されている。上側接続板９５は第１筐体部７５とおよび第２筐体部８５の上側（＋Ｙ軸方向側）を電気的に接続する連結部材の役目も果たしている。
上側接続板９５は、図２に示すように、電源装置７の周囲に配された第１電磁遮蔽用筐体７１、およびランプ駆動装置８の周囲に配された第２電磁遮蔽用筐体８１の＋Ｙ軸方向同士を連結するように設けられている。
【００３６】
このようにして、電磁遮蔽機構９０は、下面部材９１、第１筐体部７５、第２筐体部８５、上側接続板９５とは一体化された金属で構成され、電気的にも磁気的にも全体としてループする構造を有する。
なお、電磁遮蔽機構９０は、その一部を構成する下面部材９１が接地状態となっていることにより、全体としても接地された状態となっており、電気的にも磁気的にもグランド状態が維持されている。
【００３７】
以上のように構成されたプロジェクタ１は、次のような作用効果を奏することができる。
すなわち、このプロジェクタ１によれば、電源装置７およびランプ駆動装置８は、光源装置４１を挟み込むように配設されているので、電源装置７およびランプ駆動装置８によって発熱した熱は、互いに熱干渉することなく、放熱され易いものにすることができる。したがって、発熱した熱を、滞留することなく、効率よく放熱させることができる。
また、このプロジェクタ１によれば、電源装置７およびランプ駆動装置８は、光源装置４１を挟み込むように配設されているので、内部のスペースを有効活用することができ、プロジェクタ全体としての小型化を図ることができる。
【００３８】
さらに、このプロジェクタ１によれば、電源装置７およびランプ駆動装置８のそれぞれは、個々の電磁遮蔽用筐体７１，８１内に配され、これらの周囲に配された個々の電磁遮蔽用筐体７１，８１の一側面を構成する下面部７２，８２同士が、光源装置４１と対向する外装筐体２の一側内面２Ａを覆うように連なった一部材の下面部材９１で構成され、さらに下面部材９１は遮光部９２を備えているので、これまで電磁遮蔽用筐体７１，８１とは別個で並存させていた遮光板を、省略することができる。つまり、電磁遮蔽機構９０は、下面部材９１、第１筐体部７５、第２筐体部８５による３部材と、上側接続板９５とにより、構成することができる。
【００３９】
これによって、外装筐体２への光源装置４１からの照射を遮ることができるので、射出される光によって外装筐体２が劣化してしまうことを好適に防止することができ、かつ、電源装置７およびランプ駆動装置８から発生する電磁波を好適に遮蔽することができ、さらに３部材と、部材点数を減らして装置全体として小型化を図ることができ、製造コストも抑えることができる。
【００４０】
このプロジェクタ１によれば、一部材で構成された、電磁遮蔽用筐体７１，８１の一側面同士となる下面部材９１が接地され、さらに、この下面部材９１には、第１筐体部７５、第２筐体部８５、および上側接続板９５が電気的に接続した状態となっているので、電磁遮蔽機構９０に溜まった電荷や磁気を外部に放出することができる。これによって、電荷や磁気によるノイズを発生し難いものとして、内蔵電子部品に対して安全となる。
また、電磁遮蔽機構９０は、その一部を構成する下面部材９１が接地状態となっていることにより、全体としても接地された状態となっているので、この電磁遮蔽機構９０を構成する、第１筐体部７５、第２筐体部８５、上側接続板９５を接地状態とするための配線処理を省略することができて、製造の煩雑さを解消するとともに製造コストも削減することができる。
【００４１】
また、このプロジェクタ１によれば、電源装置７およびランプ駆動装置８のそれぞれの周囲に配された個々の電磁遮蔽用筐体７１，８１には、外装筐体２の一側内面２Ａとは反対側の他側内面と対向する側において、互いを電気的に接続した状態で連結する上側接続板９５が設けられているので、電磁遮蔽用筐体７１，８１同士を電気的にループさせる構造とすることができ、個々の電磁遮蔽効果を向上させ、電磁干渉を好ましく防止することができる。
【００４２】
なお、本発明に係るプロジェクタは、上述の実施の形態に限定されるものではなく、本発明の趣旨を逸脱しない範囲において、適宜に選択変更して構成されるものであってもよい。
例えば、上述の実施形態においては、画像光の投射方向（+Ｚ軸方向）となる前面側に電源装置７を配し、画像光の投射方向（+Ｚ軸方向）とは逆方向（−Ｚ軸方向）側となる背面側にランプ駆動装置８を配して構成された例について説明した。しかしながら、本発明に係るプロジェクタは、電源装置７とランプ駆動装置８とが光源装置４１を挟み込むように配設されていればよく、画像光の投射方向（+Ｚ軸方向）となる前面側にランプ駆動装置８を配し、画像光の投射方向（+Ｚ軸方向）とは逆方向（−Ｚ軸方向）側となる背面側に電源装置７を配して構成されるものであってもよい。
【００４３】
また、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００４４】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶パネル以外の光変調装置を用いてもよい。この場合は、光束入射側および光束射出側の偏光板４５２，４５３を省略することができる。
【産業上の利用可能性】
【００４５】
本発明に係るプロジェクタは、発熱した熱を効率よく放熱させることができ、かつ小型化を図ることができ、さらに、製造コストも抑えることができたプロジェクタとして利用することができる。
【図面の簡単な説明】
【００４６】
【図１】本発明に係るプロジェクタの外観を模式的に示す外観模式図。
【図２】プロジェクタの内部を示す内部斜視図。
【図３】光源装置の射出方向基端側から視たプロジェクタの内部斜視図である。
【図４】画像投射装置を模式的に示す模式図。
【図５】電源装置およびランプ駆動装置のみが配された外装筐体を示す斜視図。
【図６】電磁遮蔽用筐体を示す分解斜視図。
【図７】電磁遮蔽用筐体の一部が配された外装筐体を示す斜視図。
【符号の説明】
【００４７】
１…プロジェクタ、２…外装筐体、２Ａ…外装筐体の一側内面、３…投射光学装置、４…光学ユニット、５…排気ファンユニット、６…冷却装置、７…電源装置、８…ランプ駆動装置、２１…アッパーケース、２２…ロアーケース、４１…光源装置、７０…支持筐体
７１…第１電磁遮蔽用筐体、７２…第１下面部、７５…第１筐体部、８０…支持筐体、８１…第２電磁遮蔽用筐体、８２…第２下面部、８５…第２筐体部、７３，８３…連結部、７６，８６…下側連結部、７７，８７…上側連結部、９０…電磁遮蔽機構、９１…下面部材、９２…遮光部、９５…上側接続板、Ｇ…画像投射装置、Ｈ…制御基板。
【図１】
2009015215.tif 000003
【図２】
2009015215.tif 000004
【図３】
2009015215.tif 000005
【図４】
2009015215.tif 000006
【図５】
2009015215.tif 000007
【図６】
2009015215.tif 000008
【図７】
2009015215.tif 000009